(57)【要約】      （修正有）【課題】包装状態のままで、包装対象品を触ってみたり、実際に動かしたりすることができるブリスターパックを提供する。【解決手段】包装対象品Ｗを透明プラスチックシートを成形してなる包装材１の窪み部分１ａに収納し、包装材を台紙２に接着してなり、包装材及び台紙に一方の具体の指入穴部に対応した開口穴部１ｂを形成し、かつ、包装材に他方の具体の基部Ｈ1を露呈可能な切欠部１ｃを形成すると共に台紙に他方の具体の指入穴部に対応した台紙切欠部２ｂを形成してなる。【選択図】図１
0003109817.tif 000002
【実用新案登録請求の範囲】
【請求項１】
包装対象品を透明プラスチックシートを成形してなる包装材の窪み部分に収納し、該包装材を台紙に接着してなり、上記包装対象品は基部に指入穴部をもつ一対の具体を枢軸により枢着してなるはさみ類であり、上記包装材及び台紙に一方の具体の指入穴部に対応した開口穴部を形成し、かつ、該包装材に他方の具体の基部を露呈可能な切欠部を形成すると共に該台紙に他方の具体の指入穴部に対応した台紙切欠部を形成し、上記包装材及び台紙を上記包装対象品を包装したままの状態で該包装対象品を試用可能な構造に構成してなることを特徴とするブリスターパック。
【請求項２】
複数個の包装対象品を透明プラスチックシートを成形してなる包装材の各窪み部分に収納し、該包装材を台紙に接着してなり、上記包装対象品は基部に指入穴部をもつ一対の具体を枢軸により枢着してなるはさみ類であり、上記包装材及び台紙に一方の具体の指入穴部に対応した開口穴部を形成し、かつ、該包装材に他方の具体の基部を露呈可能な切欠部を形成すると共に該台紙に他方の具体の指入穴部に対応した台紙切欠部を形成し、上記包装材及び台紙を上記各包装対象品を包装したままの状態で該包装対象品を試用可能な構造に構成してなることを特徴とするブリスターパック。
【考案の詳細な説明】
【技術分野】
【０００１】
本考案は、園芸はさみ、金切りはさみ、プライヤ、ペンチ等のはさみ類を陳列販売する際に用いられるブリスターパックに関するものである。
【背景技術】
【０００２】
従来、包装対象品を透明なプラスチックシート成形してなる包装材の窪み部分に収納し、該包装材を台紙に接着してなるブリスターパックが知られている。
【特許文献１】実用新案登録第３２１６２９５号
【考案の開示】
【考案が解決しようとする課題】
【０００３】
しかしながらこの従来構造の場合、包装対象品は包装材と台紙との間に密封されており、透明な包装材故に、外部から視認することはできるものの、包装対象品を触ってみたり、実際に動かしたりすることができず、購入者の商品選択の利便性を低下しているという不都合を有している。
【課題を解決するための手段】
【０００４】
本考案はこれらの不都合を解決することを目的とするもので、本考案のうちで、請求項１記載の考案は、包装対象品を透明プラスチックシートを成形してなる包装材の窪み部分に収納し、該包装材を台紙に接着してなり、上記包装対象品は基部に指入穴部をもつ一対の具体を枢軸により枢着してなるはさみ類であり、上記包装材及び台紙に一方の具体の指入穴部に対応した開口穴部を形成し、かつ、該包装材に他方の具体の基部を露呈可能な切欠部を形成すると共に該台紙に他方の具体の指入穴部に対応した台紙切欠部を形成し、上記包装材及び台紙を上記包装対象品を包装したままの状態で該包装対象品を試用可能な構造に構成してなることを特徴とするブリスターパックにある。
【０００５】
又、請求項２記載の考案は、複数個の包装対象品を透明プラスチックシートを成形してなる包装材の各窪み部分に収納し、該包装材を台紙に接着してなり、上記包装対象品は基部に指入穴部をもつ一対の具体を枢軸により枢着してなるはさみ類であり、上記包装材及び台紙に一方の具体の指入穴部に対応した開口穴部を形成し、かつ、該包装材に他方の具体の基部を露呈可能な切欠部を形成すると共に該台紙に他方の具体の指入穴部に対応した台紙切欠部を形成し、上記包装材及び台紙を上記各包装対象品を包装したままの状態で該包装対象品を試用可能な構造に構成してなることを特徴とするブリスターパックにある。
【考案の効果】
【０００６】
本考案は上述の如く、請求項１記載の考案にあっては、包装対象品を透明なプラスチックシート成形してなる包装材の窪み部分に収納し、この包装材を台紙に接着し、ブリスターパック包装することになり、この際、上記包装材及び台紙に一方の具体の指入穴部に対応した開口穴部を形成し、かつ、該包装材に他方の具体の基部を露呈可能な切欠部を形成すると共に該台紙に他方の具体の指入穴部に対応した台紙切欠部を形成し、上記包装材及び台紙を上記包装対象品を包装したままの状態で該包装対象品を試用可能な構造に構成しているから、包装状態のままで、包装対象品たるはさみ類を触ってみたり、実際に動かしたりすることができ、かつ、透明な包装材故に、外部から視認することもでき、購入者の商品選択の利便性を高めることができる。
【０００７】
又、請求項２記載の考案にあっては、各包装対象品を透明なプラスチックシート成形してなる包装材の窪み部分に収納し、この包装材を台紙に接着し、ブリスターパック包装することになり、この際、上記包装対象品は基部に指入穴部をもつ一対の具体を枢軸により枢着してなるはさみ類であり、上記包装材及び台紙に一方の具体の指入穴部に対応した開口穴部を形成し、かつ、該包装材に他方の具体の基部を露呈可能な切欠部を形成すると共に該台紙に他方の具体の指入穴部に対応した台紙切欠部を形成し、上記包装材及び台紙を上記各包装対象品を包装したままの状態で該包装対象品を試用可能な構造に構成しているから、包装状態のままで、包装対象品たる各はさみ類を触ってみたり、実際に動かしたりすることができ、かつ、透明な包装材故に、外部から視認することもでき、購入者の商品選択の利便性を高めることができる。
【考案を実施するための最良の形態】
【０００８】
図１乃至図７は本考案の実施の形態例を示し、図１乃至図５は第一形態例、図６、図７は第二形態例である。
【０００９】
図１乃至図５の第一形態例において、１は包装材であって、この場合、透明なプラスチックシート成形により形成され、包装対象品Ｗ、この場合、基部Ｈ1・Ｈ1に指入穴部Ｈ2・Ｈ2をもつ一対の刃体たる具体Ｈ3・Ｈ3を枢軸Ｈ4により枢着してなるはさみ類Ｈを収納可能な窪み部分１ａが形成されている。
【００１０】
２は台紙であって、紙やプラスチックにより製作され、包装対象品Ｗを包装材１の窪み部分１ａに収納し、包装対象品Ｗを台紙２に縛紐Ｋにより縛り、包装材１の周縁部Ｆを台紙２に接着することにより包装する構造となっている。
【００１１】
そして、上記包装材１及び台紙２を上記包装対象品Ｗを包装したままの状態で包装対象品Ｗを試用可能な構造に構成している。
【００１２】
この場合、包装材１及び台紙２に一方の具体Ｈ3の指入穴部Ｈ2に対応した開口穴部１ｂ・２ａを形成し、かつ、包装材１に他方の具体Ｈ3の基部を突出露呈可能な切欠部１ｃを形成すると共に台紙２に他方の具体Ｈ3の指入穴部Ｈ2に対応した台紙切欠部２ｂを形成している。
【００１３】
この実施の第一形態例は上記構成であるから、包装対象品Ｗを透明なプラスチックシート成形してなる包装材１の窪み部分１ａに収納し、この包装材１を台紙２に接着し、ブリスターパック包装することになり、この際、上記包装材１及び台紙２を上記包装対象品Ｗを包装したままの状態で包装対象品Ｗを試用可能な構造に構成しているから、図５の如く、包装状態のままで、包装対象品Ｗを触ってみたり、実際に動かしたりすることができ、かつ、透明な包装材故に、外部から視認することもでき、購入者の商品選択の利便性を高めることができる。
【００１４】
又、この場合、上記包装対象品Ｗは基部Ｈ1・Ｈ1に指入穴部Ｈ2・Ｈ2をもつ一対の具体Ｈ3・Ｈ3を枢軸Ｈ4により枢着してなるはさみ類であり、上記包装材１及び台紙２に一方の具体Ｈ3の指入穴部Ｈ2に対応した開口穴部２ａを形成し、かつ、包装材１に他方の具体Ｈ3の基部を露呈可能な切欠部１ｃを形成すると共に台紙２に他方の具体Ｈ3の指入穴部Ｈ2に対応した台紙切欠部２ｂを形成してなるから、図５の如く、包装状態のままで、包装対象品Ｗたるはさみ類を触ってみたり、実際に動かしたりすることができ、かつ、透明な包装材故に、外部から視認することもでき、購入者の商品選択の利便性を高めることができる。
【００１５】
図６、図７の第二形態例は別例構造を示し、この場合、１は包装材であって、この場合、透明なプラスチックシート成形により形成され、複数個、この場合、２個の包装対象品Ｗ・Ｗ、この場合、基部Ｈ1・Ｈ1に指入穴部Ｈ2・Ｈ2をもつ一対の具体Ｈ3・Ｈ3を枢軸Ｈ4により枢着してなる２個のはさみ類Ｈ・Ｈを収納可能な窪み部分１ａ・１ａが形成されている。
【００１６】
２は台紙であって、紙やプラスチックにより製作され、２個の包装対象品Ｗ・Ｗを包装材１の窪み部分１ａ・１ａに収納し、包装材１の周縁部Ｆを台紙２に接着することにより包装する構造となっている。
【００１７】
そして、上記包装材１及び台紙２を上記各包装対象品Ｗ・Ｗを包装したままの状態で包装対象品Ｗ・Ｗを試用可能な構造に構成している。
【００１８】
この場合、包装材１及び台紙２に一方の具体Ｈ3の指入穴部Ｈ2に対応した開口穴部１ｂ・２ａ・１ｂ・２ａを形成し、かつ、包装材１に他方の具体Ｈ3の基部を突出露呈可能な切欠部１ｃ・１ｃを形成すると共に台紙２に他方の具体Ｈ3の指入穴部Ｈ2に対応した台紙切欠部２ｂ・２ｂを形成している。
【００１９】
この実施の第二形態例は上記構成であるから、各包装対象品Ｗを透明なプラスチックシート成形してなる包装材１の窪み部分１ａに収納し、この包装材１を台紙２に接着し、ブリスターパック包装することになり、この際、上記包装材１及び台紙２を上記各包装対象品Ｗ・Ｗを包装したままの状態で各包装対象品Ｗ・Ｗを試用可能な構造に構成しているから、包装状態のままで、包装対象品Ｗ・Ｗを触ってみたり、実際に動かしたりすることができ、透明な包装材故に、外部から視認することもでき、購入者の商品選択の利便性を高めることができる。
【００２０】
尚、本考案は上記実施の形態例に限られるものではなく、包装材１、台紙２の形態、構造、材質等は包装対象品Ｗに応じて適宜変更して設計される。
【００２１】
以上、所期の目的を充分達成することができる。
【図面の簡単な説明】
【００２２】
【図１】本考案の実施の第一形態例の全体正面図である。
【図２】本考案の実施の第一形態例の部分断面図である。
【図３】本考案の実施の第一形態例の分離斜視図である。
【図４】本考案の実施の第一形態例の斜視図である。
【図５】本考案の実施の第一形態例の使用状態図である。
【図６】本考案の実施の第二形態例の全体正面図である。
【図７】本考案の実施の第二形態例の分離斜視図である。
【符号の説明】
【００２３】
Ｗ    包装対象品
Ｈ    はさみ類
１    包装材
１ａ    窪み部分
１ｂ    開口穴部
１ｃ    切欠部
２    台紙
２ａ    開口穴部
２ｂ    台紙切欠部
【図１】
0003109817.tif 000003
【図２】
0003109817.tif 000004
【図３】
0003109817.tif 000005
【図４】
0003109817.tif 000006
【図５】
0003109817.tif 000007
【図６】
0003109817.tif 000008
【図７】
0003109817.tif 000009